Podtech/llm-jp-corpus-v4-ja_patent huggingface dataset:
(57)【要約】      （修正有）【課題】リング、ピン、チェーン等の装着部材を備えたアクセサリーを容易に装着することができ、同時に他者との差別化も図ることができるデザインのシャツを提供する。【解決手段】略三角形状のアクセサリー懸架用掛け具３を具備する襟付きのシャツ１であって、襟２の左右いずれかの先端部分がカットされ、カットされた部分２１には略三角形の掛け具３の一辺が縫着され、前記略三角形の他の二辺が為す角部分にアクセサリーを吊着する構成をとる。掛け具３は、金属又は合成樹脂によって成る。【選択図】図２
0003205026.tif 000002
【実用新案登録請求の範囲】
【請求項１】
略三角形のアクセサリー懸架用掛け具を具備する襟付きのシャツであって、
前記襟の左右いずれかの先端部分がカットされ、
前記カットされた先端部分には前記略三角形の掛け具の一辺が縫着され、
前記略三角形の他の二辺が為す角部分にアクセサリーを吊着する構成となっていることを特徴とするシャツ。
【請求項２】
前記略三角形の掛け具は、金属又は合成樹脂によって成ることを特徴とする請求項１記載のシャツ。
【考案の詳細な説明】
【技術分野】
【０００１】
本考案は、襟の先端近傍にアクセサリーを装着するための掛け具を設置したシャツに関する。
【背景技術】
【０００２】
衣服に装着するアクセサリーとしては、ジャケットに付けるラペルピンタイプのものが知られている。しかし、シャツに付けるものは、装着の手段が限定されるため、種類が限られる。
【考案の概要】
【考案が解決しようとする課題】
【０００３】
シャツに装着することができるアクセサリーは、ボタン穴を利用して装着するもの、胸ポケットや襟をバインドするものなどがあるが、リング式やピン式のものは装着が困難である。また、種類が限定されることから、他者との差別化を図ることも難しい。
【０００４】
上述の問題を踏まえ、本考案においては、リング、ピン、チェーン等の装着部材を備えたアクセサリーを容易に装着することができ、同時に他者との差別化も図ることができるデザインのシャツを提供することを課題とする。
【課題を解決するための手段】
【０００５】
上記課題を解決するために、本考案に係るシャツは、略三角形状のアクセサリー懸架用掛け具を具備する襟付きのシャツであって、前記襟の左右いずれかの先端部分がカットされ、前記カットされた先端部分には前記略三角形の掛け具の一辺が縫着され、前記略三角形の他の二辺が為す角部分にアクセサリーを吊着する構成となっていることを特徴とする。
【０００６】
前記略三角形の掛け具は、金属又は合成樹脂によって成ることを特徴とする。
【考案の効果】
【０００７】
襟先に掛け具を具備した本考案に係るシャツを被覆することにより、リング、ピン、チェーン等の装着部材を備えたアクセサリーを容易に装着することができる。
【０００８】
襟先がカットされ、先端部分にアクセサリーを装着した本考案に係るシャツを被覆することにより、日常的にも、またパーティ等の華やかな場でも、他人との差別化を図ることができる。
【図面の簡単な説明】
【０００９】
【図１】本実施形態に係るシャツの使用例を示す写真である。
【図２】本実施形態に係るシャツの正面図である。
【図３】襟先の掛け具の縫着状態を示す正面図である。
【考案を実施するための形態】
【００１０】
以下、本考案の実施形態について図を用いて説明する。
【００１１】
図２に示すように、本考案に係るシャツ１は、襟２を有する通常のシャツであって、本実施形態では、襟２の左先端部分がカットされ、カット部分２１には略三角形状の掛け具３が設置されている。具体的には、図３に示すように、カット部分２１のカット線が掛け具３の一辺を包みつつ、襟２の裏側に折りこまれて縫い止めされている。
【００１２】
アクセサリーの装着は、図１に示すように、掛け具３の他の二辺が為す角部分にアクセサリー５のリング、ピン、チェーン等を通して吊着する。また、装着部分を有さないアクセサリーについては、別途チェーン等の部材を媒介させて装着することも可能である。
【００１３】
掛け具３の素材については、本実施形態では、軟質の細い鉄棒を使用しているが、吊着するアクセサリーによっては、プラスチック等の合成樹脂を使用することもできる。また、高級金属を使用して、掛け具３自体を装飾具に仕立てるといった使用方法も考えられる。  
【符号の説明】
【００１４】
１      シャツ
２      襟
２１    カット部分
３      掛け具
４      縫い目
５      アクセサリー
【図１】
0003205026.tif 000003
【図２】
0003205026.tif 000004
【図３】
0003205026.tif 000005
(57)【要約】      （修正有）【課題】慣れ・不慣れにかかわらずだれでも簡単に清掃できる回転式洗牌機を提供する。【解決手段】清掃用の布を張った盤面に、各々の牌が収まる溝を設けて収め、その上から清掃用の布を張ったフタで抑え、本体を立てて回転させる。【選択図】図１
0003205067.tif 000002
【実用新案登録請求の範囲】
【請求項１】
麻雀の牌などを掃除するため、個々に溝を設けてそこに収めた後、清掃用の布を張ったカバーでフタをし、それを回転させる事によって、清掃できる回転式洗牌機
【考案の詳細な説明】
【技術分野】
【０００１】  本考案は、回転を利用した麻雀牌の洗浄機に関するものである。
【背景技術】
【０００２】  麻雀の牌を清掃する場合、牌を並べ各面のむきを変えながら、汚れを布で拭き取る作業を繰り返し行なっていた。
【考案の概要】
【考案が解決しようとする課題】
【０００３】  従来の麻雀牌の清掃は、牌の６面を並び替えながら汚れを拭き取る作業であり、これは慣れと根気のいる作業であり、慣れ・不慣れによって、清掃にもムラが生じ作業としては大変にわずらわしく、このわずらわしさを解決しようとするものである。
【課題を解決するための手段】
【０００４】  本案件は、清掃用の布を張った盤面に牌各々が収まる溝を設けて、溝に牌を収めフタをし、本体を縦にして回転させることで、牌の清掃を行うことができ、慣れ・不慣れにかかわらず、だれでも簡単に清掃できるように、問題点を解決している。
【考案の効果】
【０００５】  従来、牌の清掃は、牌の６面を並び替えながらの作業であることから、個人差があり清掃の具合にもムラが生じる。  本案件の回転式洗牌機を使用することで、作業時間の短縮・作業結果の均一性が保たれる。
【考案を実施するための形態】
【０００６】  盤面に清掃用の布を張り、牌各々が収まる溝を設けて牌を収めてから、清掃用の布を張ったフタで抑え、本体を立ててモーター動力により回転させる。清掃用の布は、脱着可能なものとし定期的に交換することで、牌の清掃を行う。
【実施例】
【０００７】  以下、添付図面に従って実施例を説明する。１は耐久性のある適宣素材にて一体化形成された洗牌機本体、２は牌を収める溝で必要な数分設ける。３は汚れを拭き取る布である。４は牌を上から押さえ汚れを拭き取る布である。５は４の布を貼り付け牌を抑える蓋である。
【図面の簡単な説明】
【０００８】
【図１】本考案の回転式洗牌機のイメージを示す立体図である。
【図１】
0003205067.tif 000003
(57)【要約】      （修正有）【課題】短時間に髪の毛を乾かすことができる速乾スーパードライヤーを提供する。【解決手段】動力部（モーター）１から発する動力部送風管の先端部にグリップ２を介して結合されているドライヤーであって、２個並列で２組が向かい合う合計４個の送風管３を備え、各送風管３の相互対向面側に送風口４が設けられ、送風管３の両面において、送風口４を除く全域に多数のブラシ５が設けてある。【選択図】図１
0003205066.tif 000002
【実用新案登録請求の範囲】
【請求項１】
速乾スーパードライヤーは、熱風によって外側からだけ乾かすのではなく、強力な温風で髪の内側と外側の両方から乾かす。また強力な温風で内側からだけ乾かすこともある。
【請求項２】
速乾性を高めるために、送風管が髪の毛を挟むようにして、２列４管から構成され及び送風口はスリット型にすることにより、より送風量と送風力を高める
【請求項３】
業務用として美容室や動物病院などで使用することを考え、髪の毛を乾かす時、本体の重量を軽減するため動力部（モーター）の位置を設定する
【請求項４】
動力部内の熱線をカバーする内側に反射板を設け、より少ない電力でより高い熱効率を実現する
【考案の詳細な説明】
【技術分野】
【０００１】速乾スーパードライヤー
【背景技術】
【０００２】本考案は、髪の毛を早く乾かすことを目的とし、髪の毛を乾かす手間を省く器具に関する【０００３】従来は熱風により髪の毛を外側から乾かす器具等が用いられ、他にもマイナスイオン付、頭皮マッサージ付等が提案されている【０００４】ナノケア、マイナスイオン付などが多く、本来のドライヤーの目的である、いかに早く乾かすかを目的にしたドライヤーは少ない
【考案の概要】
【考案が解決しようとする課題】
【０００５】本考案は、ドライヤーの主たる目的であるいかに早く乾かすかの器具を提供するものであり、特に髪の毛の長い人にとって、長時間のドライヤーは苦痛である。そのため速乾性のドライヤーが必要とされている
【課題を解決するための手段】
【０００６】短時間に髪の毛を乾かすことができるヘアドライヤーを提供する【０００７】熱風で髪の毛を乾かすのではなく、つよい風を髪の毛に噴射させることにより、髪の毛の水分、水滴を飛ばし、髪の毛を乾かす
【考案の効果】
【０００８】髪の毛を乾かすのは熱ではなく風であること。従来のドライヤーは髪の毛の外側から熱風により乾かすものであり、本考案は強い温風により髪の毛に付着する水分、水滴を勢いよく髪の毛の内側より又は内側と外側の両方から飛ばすものであり、熱風で乾かす時間よりも、短い時間で髪の毛を乾かすことができる
【図面の簡単な説明】
【０００９】
【図１】は、ドライヤー本体から４本の送風管が突出し、その送風管には表と裏の両側にスリット状の送風口を設け、その送風口から強い風を噴射させる。送風管は髪の毛を挟むように各２本が対になっている
【図２】は、熱温風の基を作る熱線と熱線を包むカバーの内側を反射板を設けることによりより少ない動力で、より多くの熱量を実現させる
【商業上の利用可能性】
【００１０】スリット状の送風口から強い風を噴射させ、内側と外側の両方から乾かすことにより、さらに時間短縮が可能である
【符号の説明】
【００１１】〔図１〕は速乾ドライヤーの立体図
１  動力部本体
２  滑り止めのグリップハンド
３  送風本体部
４  送風管
５  スリット状の送風口
６  ブラシ
７  動体部から送り出される送風管
〔図２〕は動力モーター部と熱線及び反射板
１  動力部（モーター）
２  ファン
３  熱線
４  反射板
【図１】
0003205066.tif 000003
【図２】
0003205066.tif 000004
【手続補正書】
【提出日】平成28年4月14日(2016.4.14)
【手続補正１】
【補正対象書類名】実用新案登録請求の範囲
【補正対象項目名】全文
【補正方法】変更
【補正の内容】
【実用新案登録請求の範囲】
【請求項１】
動力部（モーター）から発する動力部送風管の先端部にグリップを介して結合されているドライヤーであって、２個並列で２組が向かい合う合計４個の送風管を備え、各送風管の相互対向面側に送風口が設けられ、送風管の両面において、送風口を除く全域に多数のブラシが設けてあることを特徴とする速乾ドライヤー。
【手続補正２】
【補正対象書類名】明細書
【補正対象項目名】全文
【補正方法】変更
【補正の内容】
【考案の詳細な説明】
【技術分野】
【０００１】本考案は、髪の毛を早く乾かすための器具に関するものである。
【背景技術】
【０００２】  従来は熱風により髪の毛を外側から乾かす器具等が用いられ、他にもマイナスイオン付、頭皮マッサージ付等が知られている。
【考案の概要】
【考案が解決しようとする課題】
【０００３】ナノケア、マイナスイオン付等のドライヤーは、いかに早く乾かすかを目的にしたものではなかった。
本考案は、ドライヤーの主たる目的であるいかに早く乾かすかの器具を提供するものであり、特に髪の毛の長い人にとって、長時間のドライヤーは苦痛である。
【課題を解決するための手段】
【０００４】動力部（モーター）から発する動力部送風管の先端部にグリップを介して結合されているドライヤーであって、２個並列で２組が向かい合う合計４個の送風管を備え、各送風管の相互対向面側に送風口が設けられ、送風管の両面において、送風口を除く全域に多数のブラシが設けてあることを特徴とする速乾ドライヤー。
【図面の簡単な説明】
【０００５】
【図１】  本考案の斜視図
【符号の説明】
【０００６】１  動力部，      ２  グリップ，      ３  送風管，      ４  送風口，
５  ブラシ，
【手続補正３】
【補正対象書類名】図面
【補正対象項目名】全図
【補正方法】変更
【補正の内容】
【図１】
0003205066.tif 000005
(57)【要約】      （修正有）【課題】落下防止の対象となる商品の保持力向上と該物品の使用感の向上を目指す塩化ビニール製落下防止具を提供する。【解決手段】薄手の塩化ビニール材料をトムソン加工により形状の違う複数のスリットｓ２〜ｓ４を中央部と両端部に作製し、中央から二つ折りにしたときに現れる１対の半円型の孔ｋ１、ｋ２に任意の指Ｆを通し、両端に現れるスリットｓ２には鉛筆、ペン、色鉛筆、マジックなどの細長い棒状の物品Ｐを貫通させることで対象となる物品Ｐの脱落を防ぐ。【選択図】図２
0003205069.tif 000002
【実用新案登録請求の範囲】
【請求項１】
薄手の塩化ビニール材料をトムソン加工により形状の違う複数のスリットを該物品の中央部と両端部に作製し、該物品を中央から二つ折りにしたときに現れる１対の半円型の孔に任意の指を通し、物品の両端に現れるスリットには鉛筆、ペン、色鉛筆、マジックなどの細長い棒状の物品を貫通させることで対象となる物品の脱落を防ぐことを特徴とする塩化ビニール製落下防止具。
【請求項２】
前記の材料に対する印刷は、オフセット印刷を用いて絵や文字、写真を印刷した請求項１に記載の塩化ビニール製落下防止具。
【考案の詳細な説明】
【技術分野】
【０００１】  本考案は主として、塩化ビニール材料に対して文字や図画を印刷した、多目的に使用できる利便性の高いノベルティー商品あるいは小売商品に関するものである。
【背景技術】
【０００２】  従来の落下防止具は硬質なプラスチックで出来ており、使用時の湾曲により破損を生じたり、使用感を損ねることがあった。
【考案が解決しようとする課題】
【０００３】  従来の落下防止具を柔軟性、粘着性の高い塩化ビニールを用いて作成することで落下防止の対象となる商品の保持力向上と該物品の使用感の向上を目指すものである。
【０００４】  筆記具の脱落による紛失や、破損を防ぎ、筆記具の快適な使用を助ける物である。
【課題を解決するための手段】
【０００５】  材料の塩化ビニールを製造する際に、可塑剤の量を調整し粘着性を増すことで、細長い棒状の物品の保持能力を高め、かつ該物品に柔軟性を持たせることが出来、対称物品の脱落による破損や紛失を未然に防ぎ快適な使用を可能とするものである。
【考案実施の形態】
【０００６】  図１は本考案の塩化ビニール製落下防止具（１）の視図である。図１で塩化ビニール製落下防止具（１）の両端部には筆記具などの細長い棒状の物を貫通させるための１対のスリット（ｓ１）（ｓ２）が、また該物件の中央部には該物件を中央で二つ折りにしたときに指を通す孔が現れるように対となるＵ字型のスリットが施されている。
【０００７】  図２は本考案の塩化ビニール製落下防止具（１）に現れた孔（ｋ１）（ｋ２）に任意の指（Ｆ）を、両端部に現れたスリット（ｓ１）（ｓ２）に筆記具などの細長い棒状の物品を固定しようとするときの視図である。図２で中央部から均等に折られた塩化ビニール製落下防止具（１）の両端に位置するスリット（ｓ１）（ｓ２）はこの時物品の下部で重なり、筆記具などの細長い棒状の物（Ｐ）を貫通させ、現れた孔（ｋ１）（ｋ２）に任意の指（Ｆ）を通し固定することで、筆記具などの細長い棒状の物（Ｐ）の脱落を防ぐことが出来る。
【０００８】  図３は本考案の塩化ビニール製落下防止具（１）に現れた孔（ｋ１）（ｋ２）に任意の指（Ｆ）を、両端部に現れたスリット（ｓ１）（ｓ２）に筆記具などの細長い棒状の物品を固定したときの視図である。図３で孔（ｋ１）（ｋ２）を貫通した任意の指（Ｆ）によって本物品塩化ビニール製落下防止具（１）が係止されることで必然的に筆記具などの細長い棒状の物（Ｐ）の落下を防止することが可能になるものである。
【図面の簡単な説明】
【０００９】
【図１】塩化ビニール製落下防止具の視図
【図２】塩化ビニール製落下防止具を任意の指に装着する場合の視図
【図３】塩化ビニール製落下防止具に任意の指に装着し、細長い棒状の物品を固定したときの視図
【符号の説明】
【００１０】１    塩化ビニール製落下防止具
Ｆ    任意の指
ｋ１  孔１
ｋ２  孔２
Ｐ    細長い棒状の物品
ｓ１  スリット１
ｓ２  スリット２
ｓ３  スリット３
ｓ４  スリット４
【図１】
0003205069.tif 000003
【図２】
0003205069.tif 000004
【図３】
0003205069.tif 000005
【手続補正書】
【提出日】平成28年4月8日(2016.4.8)
【手続補正１】
【補正対象書類名】実用新案登録請求の範囲
【補正対象項目名】全文
【補正方法】変更
【補正の内容】
【実用新案登録請求の範囲】
【請求項１】
塩化ビニール製落下防止具であって、薄手の塩化ビニール材料をトムソン加工により形状の違う複数のスリットを前記塩化ビニール製落下防止具の中央部と両端部に作製し、前記塩化ビニール製落下防止具を中央から二つ折りしたときに現れる１対の半円型の孔に任意の指を通し、前記塩化ビニール製落下防止具の両端に現れるスリットには鉛筆、ペン、色鉛筆、マジックなどの細長い棒状の物品を貫通させることで対象となる物品の脱落を防ぐことを特徴とする塩化ビニール製落下防止具。
(57)【要約】      （修正有）【課題】高圧ケーブルと同等の絶縁性能と高圧絶縁電線の可撓性を併せ持った高圧絶縁電線材を提供する。【解決手段】可撓性のある高圧絶縁電線に、耐電圧の高い熱収縮チューブを被せ、既存レベルの高圧ケーブル並の可撓性を備える。【選択図】図１
0003205065.tif 000002
【実用新案登録請求の範囲】
【考案の詳細な説明】
【技術分野】
【０００１】この発明は、配線加工の容易な高圧絶縁電線に耐電圧の高い熱収縮チューブを被せる事により高圧ケーブルと同等の絶縁性能と可撓性を併せもった配電線材として提供できる。現在の配線工事では、工事を簡略化したり、コンパクト化することは出来ない。省エネルギー・省資源化が要請されている現今の社会情勢に鑑み、より効果のある配線材料を求られている立場であります。
【背景技術】
【０００２】この絶縁強化配線材は、相間並びに大地間に法で定める試験電圧（ＡＣ６，９００Ｖ×１．５倍＝１０．３５０Ｖ）を１０分間印加しても漏洩電流に変化が無く、これに耐える性能を有することが確認できた。
この絶縁電線材を使用すると、相の違う配線を束ねたり、配線ダクトに収納することが出来る為、簡易受配電設備内の配線や、高圧配電箱・高圧電動機への配線が、格段にコンパクトとなり、設備合理化に寄与するものである。又、経年劣化した高圧絶縁電線や、ピン碍子の絶縁補強材として、当該熱収縮チューブを、絶縁電線に被せる事により絶縁性能を回復したり、絶縁補強材として利用できる。【０００３】  技術分野で記載の通り、高圧絶縁電線に現状では、補助し、補完する材料は、示されていない。今回熱収縮チューブを補完財として試験した処、、他の絶縁材料と同じレベルの性能を有していることが確認出来ました。従って、熱収縮チューブによる高圧電線の絶縁強化方法について試験結果を添えて、実用新案を申請致します。
【考案の概要】
【考案が解決しようとする課題】
【０００４】現状には、次のような欠点があった。
技術分野で記載の通り現在の配線工事基準では、工事を簡略化したり、コンパクト化することは出来ません。
これを解決する為に、可撓性のある高圧絶縁電線材に耐電圧の高い熱収縮チューブを被せる事で、既存レベルの高圧ケーブルと同レベルの絶縁性能と高圧絶縁電線並の可撓性を兼ね備えた高圧絶縁配線材料を揃えることが可能となりました。
【課題を解決する為の手段】
【０００５】背景技術で記載の通り，施工容易な，高圧絶縁電線に、耐電圧の高い熱収縮性の容易なチューブを被せる事で高圧ケーブルと同等の絶縁性能と可撓性を併せもった配線材料がえられた。
【考案の効果】
【０００６】（イ）高圧簡易キュービクルを小型化出来る。
（ロ）高圧制御盤を小型化出来る。
（ハ）高電圧・露出部分を局所化出来る。
（ニ）高圧回路の作業が容易に出来る。
（ホ）設備機器の選択自由度が増す。
【図面の簡単な説明】
【０００７】
【図１】高圧ケーブルに熱収縮チューブを被せた概略図
【図２】高圧キュービクル概略図（ＣＴ回路）
【図３】高圧キュービクル概略図（ＰＴ回路）
【図１】
0003205065.tif 000003
【図２】
0003205065.tif 000004
【図３】
0003205065.tif 000005
【手続補正書】
【提出日】平成28年2月12日(2016.2.12)
【手続補正２】
【補正対象書類名】実用新案登録請求の範囲
【補正対象項目名】全文
【補正方法】変更
【補正の内容】
【実用新案登録請求の範囲】
【請求項１】
高圧受配電設備・高圧電動機盤等の配線工事の材料は、現状の電気設備基準では、工事のコンパクト化が出来ない。これを解決するには、可撓性のある高圧絶縁電線に、耐電圧の高い熱収縮チューブを被せる事で、既存レベルの高圧ケーブル並の可撓性を備えた高圧絶縁電線材を提供することが出来た。
【手続補正書】
【提出日】平成28年4月10日(2016.4.10)
【手続補正１】
【補正対象書類名】実用新案登録請求の範囲
【補正対象項目名】全文
【補正方法】変更
【補正の内容】
【実用新案登録請求の範囲】
【請求項１】
可撓性のある高圧絶縁電線に、耐電圧の高い熱収縮チューブを被せ、既存レベルの高圧ケーブル並の可撓性を備えた高圧絶縁電線材。
(57)【要約】      （修正有）【課題】お玉や使用中の調理器具を衛生的かつコンパクトに一時的に保管できる陶磁器製の造形物を提供する。【解決手段】動物などをモチーフにしたお玉置として使用する造形物であり、上部の前に伸ばした前足部分２は少し下にさがりお玉１を倒れることなく支える事ができ、下部の後ろ足部分は前に長く伸びており、お玉置皿４を安定して置くことが出来る。お玉置皿４は着脱式になっており、味見皿としての機能も兼ね備えている。造形物の背部にはくぼみが設けてあり、このくぼみ部分に調理で使用中の器具（箸２・しゃもじ３等）を一時的に収納できる。これにより、調理場や鍋料理などの際の卓上を、広く整理された環境にできる。また、陶磁器製の造形物であることで様々なキャラクターや可愛らしい造形物にすることができる。【選択図】図２
0003205099.tif 000002
【実用新案登録請求の範囲】
【請求項１】
動物などをモチーフにしたお玉置として使用する造形物であり、上部の前に伸ばした手は少し下にさがりお玉を倒れることなく支える事ができ、下部の後ろ足部分は前に長く伸びており、お玉置皿を安定して置くことが出来る、陶磁器製の造形物である。
【請求項２】
請求項１に記載のお玉置皿は着脱式になっており、味見皿としての機能も兼ね備えている、陶磁器製の造形物である。
【請求項３】
請求項１に記載の造形物の背部にはくぼみが設けてあり、このくぼみ部分に調理で使用中の器具（箸・しゃもじ等）を一時的に収納できることを特徴とする、陶磁器製の造形物である。
【考案の詳細な説明】
【技術分野】
【０００１】  本考案は調理器具（お玉・箸・しゃもじ・スプーン等）を使用した際に一時的に置くことができ、お玉の受け皿の部分は着脱式になっていることで味見皿として使用することが出来る造形物である。
【背景技術】
【０００２】  本考案を陶磁器製にすることで、様々な形状（動物やキャラクター）にすることができる。またお玉置皿を着脱式にすることで、味見皿としての使用も可能であり、容易に洗うことができ衛生的である。
【先行技術文献】
【特許文献】
【０００３】
【特許文献１】特開２００７−１３５７４１
【考案の概要】
【考案が解決しようとする課題】
【０００４】  使用中お玉がコンパクトで衛生的に一時保管できるものがない。【０００５】  本考案は、このような問題を解決しようとするものであり、お玉に限らず使用中調理器具もコンパクトに一時的に保管できるようにすることを目的とする。
【課題を解決するための手段】
【０００５】  そして、本考案は造形物を陶磁器製で作成し、お玉を安定して保持できる構造にし、着脱式のお玉置兼味見皿と造形物背部のくぼみを設ける構造としたものである。
【考案の効果】
【０００６】  陶磁器製にすることで様々な形状（動物・キャラクター）のものが作成できインテリアとしても最適であり、着脱式のお玉置兼味見皿とすることで衛生的に一時的保管もできる。また、造形物背部にくぼみを設けることで使用中の調理器具（箸・しゃもじ・スプーン等）もコンパクトに一時的保管が出来る。
【図面の簡単な説明】
【０００７】
【図１】  造形物全体（単体）
【図２】  造形物全体（使用時）
【図３】  お玉置兼味見皿の着脱図と拡大図
【図４】  お玉置として使用時を示す図
【図５】  調理器具置きとして使用時を示す図
【図６】  造形物背部の拡大図
【図７】  お玉を置いた上部の前足部分の拡大図
【図８】  その他の形状の造形物
【符号の説明】
【０００８】１  お玉を保持する前足
２  お玉置兼味見皿を保持する後ろ足
３  造形物背部のくぼみ
４  お玉置兼味見皿
５  お玉のヘリ
▲１▼  お玉
▲２▼  箸
▲３▼  しゃもじ
▲４▼  スプーン
【考案を実施するための形態】
【０００９】  以下、本考案の実施の形態を図１〜図８に基づいて説明する。
【００１０】  図１は本考案の陶磁器製造形物の全体図である。１はお玉を安定して保持するための前足部分であり、２はお玉置兼味見皿を安定して保持するための後ろ足部分である。造形物背部にある３は使用中の調理器具などをコンパクトかつ一時的に保管するくぼみである。
【００１１】  前足部分１は前方に長く伸びており、図７に示すように先端部分は下に少し下がり鍵状になっている。このような形状にすることで、お玉を安定して保持できる構造になっている。
【００１２】  後ろ足部分２は前方に長く伸びており、図３に示すようにお玉置兼味見皿４を安定して保持できる構造になっている。
【００１３】  造形物背部にくぼみ３を設けることにより、図２・図５・図６に示すように使用中の調理器具（箸▲２▼・しゃもじ▲３▼・スプーン▲４▼等）をコンパクトかつ一時的に保管できる構造になっている。
【００１４】  図３に示すように後ろ足部分２の上に陶磁器製のお玉置兼味見皿４を設置することで、お玉置として使用できるとともに味見皿として使用することもできる構造になっている。
【実施例】
【００１５】  以下、上記構造の使用方法を説明する。造形物本体の前足部分２にお玉置兼味見皿４を図３のように設置する。使用中のお玉を図４・図７に示すようにお玉のヘリ部分５を前足部分１の下にはいるように置くことで、一時的保管できるようになります。また、お玉置兼味見皿４を味見皿として使用する際には、後ろ足部分２から取り外し使用することができる。くぼみ３は図２・図５・図６のように使用中の調理器具をコンパクトかつ一時的に保管することができる。
以上のことにより、本考案はお玉置としてだけではなく味見皿・他調理器具の一時的な保管を衛生的かつコンパクトに保管することのできる、陶磁器製の造形物として使用できるものである。
【産業上の利用可能性】
【００１６】  本考案は陶磁器製であり、使用場所やコンセプトなどによって様々な形状で作ることができる。また、衛生的かつコンパクトに調理器具を一時的に保管できることにより調理場や鍋料理などの際の卓上を、広く整理した状態で使用できると考える。
【図１】
0003205099.tif 000003
【図２】
0003205099.tif 000004
【図３】
0003205099.tif 000005
【図４】
0003205099.tif 000006
【図５】
0003205099.tif 000007
【図６】
0003205099.tif 000008
【図７】
0003205099.tif 000009
【図８】
0003205099.tif 000010
(57)【要約】      （修正有）【課題】蓋、容器に付着したヨーグルトのようなペースト状の食品を効率的かつ残さずかき取り食べること、また蓋、容器を捨てる際のすすぐ手間を省くことができるスプーンを提供する。【解決手段】細長状の柄の一方端に凹状で略長円形状または略四角状のすくい部を備えるとともに、柄の他方端には左右方向に突出する略Ｔ字形状のへら部を設けたスプーンを使用する。これらのすくい部、Ｔ字部により蓋、容器に付着したヨーグルト等のペースト状の食品を効率的にかき取り、残さず食べることが可能となり、かつ捨てる際のすすぐ手間を省ける。【選択図】図１
0003205100.tif 000002
【実用新案登録請求の範囲】
【請求項１】
細長状の柄の一方端に凹状で略長円状のすくい部を備えるとともに、柄の他方端には左右方向に突出する略Ｔ字形状のへら部が設けられていることを特徴とするスプーン。
【請求項２】
前記へら部は、少なくとも柔軟性を有するシリコン素材で構成されていることを特徴とする請求項１に記載のスプーン。
【請求項３】
前記スプーンはステンレス素材で構成されていることを特徴とする請求項１に記載のスプーン。
【請求項４】
前記へら部は、その端部が中央部に比べ徐々に薄くなるように形成されていることを特徴とする請求項１〜３の少なくともいずれか１項に記載のスプーン。
【請求項５】
前記凹状のすくい部は略四角状かつ、その端部が中央に比べ徐々薄くなるように形成されていることを特徴とする請求項３に記載のスプーン。
【考案の詳細な説明】
【技術分野】
【０００１】本考案は細長上の柄の一方端に凹状で略長円状のすくい部を備えるとともに、柄の他方端には左右方向に突出する略Ｔ字形状のへら部を設けたスプーンである。このＴ字部の使用により市販の容器で販売されているヨーグルト等のペースト状の食品（以下、食品と称す）の蓋の裏及び容器の底部と側面に残った食品を効率的にかき取り、残さず食べることが可能となる。また、蓋を舐める動作を必要としないため衛生的かつ上品に食べることができる。【０００２】本考案のＴ字部の面積を広くすることで名前、模様等のデザインを入れることが可能であり、特にステンレス製の場合、光沢があり見た目にも美しくギフトにも使用できる。【０００３】スプーンの先端を薄く、かつ略四角状のすくい部を備えることで容器、底部そして２つの接合部に残った食品を効率的に残さず取り、食べることが可能となる。
【背景技術】
【０００４】市販の容器の蓋に付着した食品を残さず食べるには大きく２つの方法がある。第１はスプーンでかき取る方法である。この方法では蓋に線状の食品が残り、効率的にかき取ることができない。第２は舐めて取る方法である。この方法では効率よく取れるが、マナーの面において蓋を舐める行為に抵抗がある人は多い。【０００５】容器に残った食品をきれいにかき取ること（特に容器の側面、底部そして側面と底部の接合部）が困難である。容器、蓋に食品が付着している場合は捨てる際にすすぐ手間がかかる。
【考案の概要】
【考案が解決しようとする課題】
【０００６】容器、蓋に付着した食品を効率的かつ上品に取り、食べることができるようにする。【０００７】蓋に付着した食品を舐めずに、効率よくかき取ることで心理的なストレスを低減させる。【０００８】容器、蓋に付着した食品を残さずかき取り捨てる際のすすぐ手間を省く。
【課題を解決するための手段】
【０００９】Ｔ字部の先端部を蓋、容器に当て、付着した食品をかき取る。またシリコン素材にすることによりＴ字部が容器の形状に沿って湾曲し、容器の形状に沿って食品をかき取る。【００１０】ステンレス素材のスプーンについて、Ｔ字部がシリコン素材のように容器の形状に沿って湾曲しないため効率よく食品をかき取ることはシリコン素材に比べ困難である。これを解消するためステンレス素材の場合は容器に対し略四角形状かつ薄い先端部を使用することで略四角形状と容器の接合面の面積が増し容器に残った食品を効率的にとることができる。【００１１】ステンレス素材のスプーンは光沢があり、見た目に美しくＴ字部に名前等のデザインを入れることが可能でありギフトにも使える。
【考案の効果】
【００１２】容器、蓋に付着した食品を効率的かつ上品にかき取り、食べることができるようになる。【００１３】容器、蓋に付着している食品をきれいにかき取ることで捨てる際のすすぐ手間を省くことができる。
【図面の簡単な説明】
【００１４】
【図１】本考案の全体図である。
【図２】本考案の正面図である。
【図３】本考案の断面図である。
【図４】本考案の実用例を示す平面図である。
【図５】本考案の実用例を示す図４の断面図である。
【図６】本考案の実用例を示す平面図である。
【図７】本考案の実用例を示す図６の断面図である。
【図８】本考案の実用例を示す平面図である。
【図９】本考案の実用例を示す図８の断面図である。
【考案を実施するための形態】
【実施例】
【００１５】以下、本考案の実施例について、図面に基づき説明する。【００１６】図４、図５は蓋５に付着した食品９をかき取る際の動きを示す事例である。Ｔ字部先端３を蓋５に圧着し矢印の方向へ動かすことにより効率よく食品９をかき取ることができる。【００１７】図６、図７はシリコン素材のスプーンにより容器に付着した食品９をかき取る際の動きを示す事例である。Ｔ字部先端３を容器の側面７と底部６の接合部８に圧着し、側面７に沿って上方向に動かすことにより食品９をかき取ることができる。また、シリコン素材の柔軟性を活かして図６のようにＴ字部先端３を側面に圧着させる際、湾曲し側面に沿う形となり効率的に食品９をかき取ることができる。【００１８】図８、図９はステンレス素材のスプーンの略四角状のすくい部４で容器に付着した食品９をかき取る際の動きを示す事例である。シリコン素材のようにＴ字部２が湾曲しないため、ステンレス素材の場合はＴ字部２を使用せず略四角状部４を使用する。これにより容器の側面７と底部６の接合面８に接する面積が増し、効率よく食品９をかき取ることができる。
【符号の説明】
【００１９】１  スプーンの先端（略長円形状）
２  Ｔ字部
３  Ｔ字部先端
４  スプーンの先端（略四角形状）
５  容器の蓋
６  容器の底部
７  容器の側面
８  容器の側面と底部の接合部
９  食品（ヨーグルト等のペースト状の食品）
【図１】
0003205100.tif 000003
【図２】
0003205100.tif 000004
【図３】
0003205100.tif 000005
【図４】
0003205100.tif 000006
【図５】
0003205100.tif 000007
【図６】
0003205100.tif 000008
【図７】
0003205100.tif 000009
【図８】
0003205100.tif 000010
【図９】
0003205100.tif 000011
(57)【要約】【課題】  遊び感覚で使用し得る成形器具として使用して、各自の創造性にしたがって成形して、最後に光照射、光重合によって硬質の成形体を作成することにより、今まで考えられなかった孔付きの光重合性樹脂成形体を得ることの可能な簡易な光樹脂成形器具を提供する。【解決手段】  光重合性樹脂液を貯留し得る凹部を備えた成形下台２と、光重合性樹脂液３の上から被覆するプレート４と、該プレート４に形成した孔５を通して光重合性樹脂液３に立設するピン６とからなっており、前記成形下台２とプレート４とピン６とは、光重合性樹脂液を硬化し得る光が透過するように光透過性プラスチックから形成されている。【選択図】図１
0003205822.tif 000002
【実用新案登録請求の範囲】
【請求項１】
光重合性樹脂液を貯留し得る凹部を備えた成形下台と、光重合性樹脂液の上から被覆するプレートと、該プレートに形成した孔を通して光重合性樹脂液に立設するピンとからなっており、前記成形下台とプレートとピンとは、光重合性樹脂液を硬化し得る光が透過するように光透過性プラスチックから形成されていることを特徴とする孔付き樹脂成形体の成形器具。
【考案の詳細な説明】
【技術分野】
【０００１】  本考案は、光重合性樹脂液を用いて光重合させて所望の形状に成形するための光重合性樹脂成形体の成形器具に関するものである。
【背景技術】
【０００２】  光重合性樹脂成形装置としては、各種の複雑な高級装置が開発されていて、例えば特許文献１に記載されているように、樹脂液の供給や成形そして光重合のための光照射に複雑な機構を備えており、成形に高額の費用がかかるものが知られている。
【先行技術文献】
【特許文献】
【０００３】
【特許文献１】  特開２０００−２１１０３７号公報
【０００４】  しかし、このような公知の複雑な光重合性樹脂成形装置は、機械での自動運転によるものであり、多額の費用を要し、簡易に光重合樹脂液を用いて、子供やグル−プ活動の主婦などが各々の想像力を加えて遊び感覚で使用する成形装置としては、適切ではないのが実情である。【０００５】  また、本権利者の実用登録新案第３２０１６５１号に示すように、光重合製樹脂液の光硬化を利用して各種の形状の樹脂成形体を形成することが知られている。【０００６】  しかし、この樹脂成形体に微細な孔を開けて、装飾糸などを挿通したり、各種の連結パーツを挿入、固定して装飾効果を発揮させて使用したい場合などが生じるが、樹脂成形後に微細な孔あけを行うのは非常に困難であるという実用上の難点があった。
【考案の概要】
【考案が解決しようとする課題】
【０００７】  本考案は、上記のような従来の難点を改善して、遊び感覚で使用し得る成形器具として使用して、子供や主婦グル−プの集まりで各自の創造性にしたがって成形し、最後に光重合によって、孔付きの硬質成形体を作成することにより、今まで考えられなかった装飾糸などの通過し得る孔や連結パーツなどを設置できる孔付きの光重合性樹脂成形体を得ることの可能な簡易な光重合性樹脂成形器具を提供することを目的とするものである。
【課題を解決するための手段】
【０００８】  本考案は上記の目的を達成するものであって、請求項１の考案は、光重合性樹脂液を貯留し得る凹部を備えた成形下台と、光重合性樹脂液の上から被覆するプレートと、該プレートに形成した孔を通して光重合性樹脂液に立設するピンとからなっており、前記成形下台とプレートとピンとは、光重合性樹脂液を硬化し得る光が透過するように光透過性プラスチックから形成されていることを特徴とする孔付き樹脂成形体の成形器具である。
【考案の効果】
【０００９】  本考案の孔付き樹脂成形体の成形器具は、光重合性樹脂液を貯留し得る凹部を備えた下成形台に、適量の光重合性樹脂液を装填し、次いで樹脂液の上からプレートを被覆し、
のプレートに形成した孔を通して光重合性樹脂液にピンを立設して、最後に光照射、光重合によって硬質の成形体を作成し、ピンをとりはずすことにより、簡易に多種類の孔付きの光重合性樹脂成形体を得ることが可能である。樹脂成形体の形状、着色などを変化させたり、あるいは樹脂成形体内部に各自の創造性に従って各種物品などを装填するなどによって、創造性の豊かな光重合性樹脂成形体を得ることも可能であり、しかも孔には装飾糸を挿通したり、連結パーツを挿入、固定することによって、装飾効果を高めることが可能である。
【図面の簡単な説明】
【００１０】
【図１】  本考案の孔付き樹脂成形体の成形器具の一例を示す正面断面図である。
【考案を実施するための形態】
【００１１】  以下、本考案を図示の実施例に従って詳細に説明する。
【００１２】  図１において、１は本考案の孔付き樹脂成形体の成形器具であり、該孔付き樹脂成形体の成形器具１は、光重合性樹脂液２を貯留し得る凹部を備えた成形下台３と、光重合性樹脂液２の上から被覆するプレート４と、該プレート４に形成した孔５を通して光重合性樹脂液２に立設するピン６とからなっており、前記成形下台２とプレート４とピン６とは、光重合性樹脂液を硬化し得る光が透過するように光透過性プラスチックから形成されている。
【００１３】  図においては、成形下台３は、断面が半円形となる半球形状としたが、これに限らず三角形状、多角形状、放物線形、球形状などの各種の形状とすることも可能である。なお、図では、一つの形状のものだけを開示したが、同一または異なる形状のものを縦、横方向に形成しておくことも可能である。
【００１４】  プレート４は、厚みが一定のものが一般的であるが、孔５を長くするために厚みを変化させたり、図に示すように、連結部材を取り付けることも可能である。
【００１５】  本考案においては、光重合性樹脂液２は、光によって硬化しうる樹脂としたが、光としては、可視光線以外に紫外線などを使用することも可能である。また、ピン６の素材としては、光重合性樹脂と剥離性の優れたものを使用することにより、光重合性樹脂の硬化後に簡易にピン６を取り除くことにより、綺麗な孔付きの成形体が得られる。
【００１６】  図１に示す状態でピン６を光重合性樹脂液に挿入、硬化させると、ピンホール状の孔を有する成形体が得られるが、このピンホールに連結パーツを挿入し、接着することによって各種の連結パーツを取り付けることが可能である。連結パーツとしては、例えば、一端には挿入用のピン部を有するとともに、他端には装飾糸などが挿通し得る透孔を有するリングや各種の形状のものとすることも可能であり、高い装飾効果を奏することが可能である。なお、前記ピンホール状の孔は、貫通孔とすることも可能であることは、もちろんである。
【符号の説明】
【００１７】  １：孔付き樹脂成形体の成形器具
２：光重合性樹脂液
３：成形下台
４：プレート
５：孔
６：ピン
【図１】
0003205822.tif 000003
(57)【要約】      （修正有）【課題】ドライヤーとの併用によって頭皮に冷却・温熱負荷を与えることで頭皮下の血流を高め育毛を目指す頭皮冷却帽を提供する。【解決手段】機能蓄冷剤を内蔵したパック１１〜１４を平面展開・折り畳み収容可能に配置することにより家庭用冷凍冷蔵庫、冷凍庫に保存・冷却し、繰り返しの使用を可能とするものである。ドライヤーを併用することにより、髪を濡らすことなく頭皮に冷却・温熱負荷を与え、育毛施術が可能となる。髪を濡らす必要がないことから施術頻度を増し、育毛効果を高めることができる。【選択図】図１
0003205825.tif 000002
【実用新案登録請求の範囲】
【請求項１】
家庭用冷凍冷蔵庫或いは家庭用冷凍庫に収容可能となるために平面展開・折り畳み可能な形状を特徴とする頭皮冷却帽
【考案の詳細な説明】
【技術分野】
【０００１】  本考案は家庭用の平面展開可能な帽子に冷却媒体を内蔵する、家庭用簡易頭皮冷却具である。ドライヤとの併用によって頭皮に対して冷却・温熱負荷を与えることより頭皮下の血流を高め育毛を目指すものである。
【背景技術】
【０００２】従来の頭皮用冷却帽は主に抗癌剤治療と併用する目的で、頭皮下の血流を抑制するための、長時間の使用を前提とする仕組みの複雑なものである。（参照：特許文献１、特許文献２、非特許文献１）【０００３】一方、市販されている冷却帽は機能蓄冷剤を設置可能とするポケットを内蔵するもの、或いは帽子の内側の頭頂部に設置するための円形状蓄冷剤といったもので、主に日射病・熱射病予防を目的とし、頭部全体に渡って冷却効果を期待できないものである。
【先行技術文献】
【特許文献】
【０００４】
【特許文献１】特開２０１２−１６７４１８  頭部冷却保冷キャップシステム
【特許文献２】特開２０１５−１５８０２７  インナーキャップ及びこれを備える頭皮冷却装置
【非特許文献】
【０００５】
【非特許文献１】実用新案登録第３０９０２１６号  頭皮用冷却具
【考案の概要】
【考案が解決しようとする課題】
【０００６】頭部の育毛対策の１つとして、頭皮への冷却負荷、温熱負荷を交互に与える方法が有効とされており、市井の増毛コースでも冷水・温水による施術が行われている。自宅でもシャワーを使って同様の方法を行うことはできるが施術の都度、髪が濡れてしまうという難点があった。【０００７】冷却目的の帽子としては、主に医療用として幾つかが考案されているが、抗癌剤の頭皮への到達を阻止するための長時間冷却を目的とし、構造的に複雑なものであり、結果として収納性、使用間便性、提供価格の面で家庭用には不向きである。【０００８】家庭での育毛目的の頭皮冷却帽で、機能蓄冷剤を冷やすために冷凍冷蔵庫、冷凍庫での冷却が容易なものは存在しない状況である。
【課題を解決するための手段】
【０００９】本考案は家庭でも育毛施術を可能とするために、機能蓄冷剤を内蔵したパックを図１の平面展開図のように配置し、折り畳み可能な形状を備えることにより、家庭用冷凍冷蔵庫、冷凍庫に保存を可能とする。【００１０】具体的には正ｎ角形（ｎ＝５〜１０）或いは円形状のパック（１１）の周囲に台形状のパック（１２）をｎ個（ｎ＝５〜１０）配置し、さらに台形上のパックの先に長方形のパック（１３，１４）を配置するものである。長方形のパック（１３）は前頭部・側頭部用、パック（１４）は後頭部用であり、パック（１４）はパック（１３）と比較して２倍程度の面積を有する。【００１１】個々の機能蓄冷剤パックは接続部（１５）によって接続される。この接続部はポリ塩化ビニールに代表される柔軟な素材により、折り畳み機能を備える。【００１２】以上の解決手段により、冷凍冷蔵庫、冷凍庫で冷却する際は折り畳み、頭部に着用する際は図２、図３に示すように頭部全体を冷却パックで覆い、育毛施術を繰り返し可能とするものである。
【考案の効果】
【００１３】本考案をドライヤと併用することにより、髪を濡らすことなく冷却・温熱負荷を交互に頭皮に与え、血行を促進することにより育毛施術が可能となる。【００１４】髪を濡らすことがないため間便性が高まり、施術頻度が増して一層の育毛効果を得ることができる。
【図面の簡単な説明】
【００１５】
【図１】本考案の展開図
【図２】本考案の断面図（装着時）
【図３】本考案の装着イメージ
【符号の説明】
【００１６】１１：頭頂部機能保冷剤内蔵パック
形状：正ｎ角形（ｎ：５〜１０）または円形
１２：頭頂部周囲機能保冷剤内蔵パック
形状：台形
１３：前頭部・側頭部機能保冷剤内蔵パック
形状：長方形（１）
１４：後頭部機能保冷剤内蔵パック
形状：長方形（２）
１５：内蔵パック接続部
Ａ：  断面（図２）位置
【図１】
0003205825.tif 000003
【図２】
0003205825.tif 000004
【図３】
0003205825.tif 000005
(57)【要約】      （修正有）【課題】保管上の利便性を向上させることができる折りたたみちょうちんを提供する。【解決手段】第１の筒と第２の筒を含む折りたたみちょうちんであって、第２の筒は、複数の切込みのある側面を有し、第１の筒の外周面へスライド可能な状態で差し込まれ、第１の筒の筒口と第２の筒口とが固定され、第１の筒の筒口と非固定のもう一方の第２の筒口が第１の筒の外周面をスライドすることで、切込みのある側面を立体化させる。【選択図】図５
0003205830.tif 000002
【実用新案登録請求の範囲】
【請求項１】
第１の筒と第２の筒を含む折りたたみちょうちんであって、前記第２の筒は、複数の切込みのある側面を有し、前記第１の筒の外周面へスライド可能な状態で差し込まれ、前記第１の筒の筒口と前記第２の筒口とが固定され、前記第１の筒の筒口と非固定のもう一方の前記第２の筒口が前記第１の筒の外周面をスライドすることで、前記切込みのある側面を立体化させることを特徴とする折りたたみちょうちん。
【請求項２】
前記第２の筒の高さが前記第１の筒の高さより高いことを特徴とする請求項１記載の折りたたみちょうちん。
【考案の詳細な説明】
【技術分野】
【０００１】  本考案は、折りたたんで収納することを可能にした折りたたみちょうちんに関するものである。
【背景技術】
【０００２】  従来、画用紙や折り紙等でちょうちんを作る場合、高さの違う二つの筒を使用し、高さの低い筒を内側に、高さの高い筒を高さの低い筒の外周へスライド可能な状態に外側に重ね、高さの高い筒の側面に入れた切込みを利用して中央部分に膨らみを持たせてから、膨らみのある立体形状を維持するために、ちょうちんの両端をそれぞれ固定していた。
【考案の概要】
【考案が解決しようとする課題】
【０００３】  しかしながら、使用後にちょうちんを保管する場合、両端をそれぞれ固定してあるためにちょうちんの形を変えられず、そのままの立体形状で保管するしかなかった。
このため、未使用時にちょうちんを保管する場合は、広い保管スペースを必要としていた。さらに、複数個のちょうちんを収納する場合、重ねたり、狭い空間に詰めたりして、ちょうちんの形が崩れる可能性が多かったりと、保管上の利便性に問題があった。
上記問題に鑑みて、本考案の目的は、折りたたみちょうちんの保管上の利便性を向上させることにある。
【課題を解決するための手段】
【０００４】  本考案は、第１の筒と第２の筒を含む折りたたみちょうちんであって、前記第２の筒は、複数の切込みのある側面を有し、前記第１の筒の外周面へスライド可能な状態で差し込まれ、前記第１の筒の筒口と前記第２の筒口とが固定され、前記第１の筒の筒口と非固定のもう一方の前記第２の筒口が前記第１の筒の外周面をスライドすることで、前記切込みのある側面を立体化させることを特徴とする。
【考案の効果】
【０００５】  外側の筒をスライドさせることにより、使用時は立体に、未使用時は平たく折りたたみが可能となり、小さな空間での保管が可能となる。
さらに、折りたたんだ状態なので、形が崩れることなく保管することが可能となる。
【図面の簡単な説明】
【０００６】
【図１】第１の筒の作製方法を示す説明図である。
【図２】第２の筒の作製方法を示す説明図である。
【図３】第１の筒及び第２の筒を組み合わせる方法を示す説明図である。
【図４】第１の筒と第２の筒とを組み合わせた際の斜視図である。
【図５】立体にしたときの斜視図である。
【図６】穴を開けて紐を結んだときの斜視図である。
【実施例】
【０００７】  本考案の実施例について説明する。
図１は、第１の筒の作製方法を示す説明図である。図１に示されるように、第１の筒は、（ａ）長方形の画用紙や折り紙などの用紙を用意し、（ｂ）用紙を輪にして、（ｃ）糊代１で用紙の短辺同士を接着し筒状（円柱状）にする。なお、Ｌ１は、内側の筒の短辺の高さ（長さ）である。【０００８】  図２は、第２の筒の作製方法を示す説明図である。図２に示されるように、第２の筒は、（ａ）用紙に短辺と平行な切込み２を複数本入れ、（ｂ）用紙を輪にして、（ｃ）糊代３で用紙の短辺同士を接着し筒状（円柱状）にする。なおＬ２は、外側の筒の短辺の高さ（長さ）であり、Ｌ１＜Ｌ２である。【０００９】  図３は、第１の筒と第２の筒を組み合わせる方法を示す説明図である。図３のように、図２に示される第２の筒の中に図１に示される第１の筒を下から入れ、糊代４ａと糊代４ｂを接着する。【００１０】  図４は、第１の筒と第２の筒とを組み合わせた際の斜視図である。図３において、第１の筒の糊代４ａと第２の筒の糊代４ｂとを接着させ、第１の筒と第２の筒を組み合わせると、図４の状態になる。【００１１】  図５は、第２の筒を立体にしたときの斜視図である。図５に示されるように、ちょうちんとして使用する場合は、図４の状態から、第２の筒の長辺部分６を第１の筒の長辺部分５までスライドさせ、ちょうちん形状になるように第２の筒に設けられた切込み２に立体的な膨らみをもたせる。即ち、上述したようにＬ１＜Ｌ２であるため、第１の筒の糊代４ａと第２の筒の糊代４ｂとを接着させた場合、もう一方の筒口となる第２の筒の長辺部分６と第１の長辺部分５との間には、「Ｌ２−Ｌ１」の距離がある。よって第２の筒の長辺部分６を第１の筒の長辺部分５まで、「Ｌ２−Ｌ１」の距離分だけスライドさせることで、第２の筒の切込み２がちょうちん形状に膨らむよう立体的にさせる。【００１２】  図６は、穴を開けて紐を結んだときの斜視図である。図５のように第２の筒の切込み２に立体的な膨らみを持たせた状態で、筒口部分５及び筒口部分６付近に穴を開け、紐を通して結ぶことにより、膨らんだ立体形状を維持する。
なお、穴を開けて紐を結ぶ以外にも、クリップで挟む、ちょうちんの上下を逆にする等、使用後に容易に元に戻すことができる方法で、第２の筒の切込み２に立体的な膨らみを維持してもよい。【００１３】  図６に示すちょうちんの使用後は、結んでいた紐をほどき、スライドさせた筒口部分６を元に戻して、折りたたむことで再び図４の状態に戻す。【００１４】  なお、ちょうちんの素材は、本実施例に示した画用紙や折り紙などの用紙に限らず、例えば、薄いプラスチック板、ビニール板などに代えてもよい。【００１５】  以上の実施例によれば、使用後に立体形状を変えられず、広い保管スペースを必要としたり、形が崩れる可能性もなく、第２の筒の一端をスライドさせることにより、立体形状にして使用したり、折りたたんで小さなスペースでの保管が可能となる。
【産業上の利用可能性】
【００１６】  例えば、幼稚園や小学校、町内会、介護施設などで、七夕祭り、夏祭り等のイベント飾りに気軽に利用できるようになる。
【符号の説明】
【００１７】  １    糊代
２    切込み
３    糊代
４ａ  糊代
４ｂ  糊代
５    筒口部分
６    筒口部分
【図１】
0003205830.tif 000003
【図２】
0003205830.tif 000004
【図３】
0003205830.tif 000005
【図４】
0003205830.tif 000006
【図５】
0003205830.tif 000007
【図６】
0003205830.tif 000008